(57)【要約】【課題】  デジタルカメラ等で撮影した画像データから例えばタイトル等に適した画像を自由に作成可能とする。【解決手段】  カメラユニット１０１より出力される画像データを静止画用メモリ１０３Ａに記録し、静止画用メモリ１０３Ａに記録される画像データのうちの任意の領域を指定し、指定された領域に対応する画像データを情報表示用メモリ１０３Ｂに記録する。【選択図】  図１
2007013341.tif 000002
【特許請求の範囲】
【請求項１】
撮像した被写体の画像データを出力する撮像手段と、
前記撮像手段より出力される画像データを所定の記録領域に記録する記録制御手段と、
前記所定の記録領域に記録される画像データのうちの任意の領域を指定可能な領域指定手段とを有し、
前記領域指定手段は、前記所定の記録領域に記録される画像データから任意の複数の領域を指定することが可能であり、前記記録制御手段は、前記領域指定手段によって複数の領域が指定された場合、前記所定の記録領域に記録される画像データのうちの前記複数の領域夫々に対応する画像データを合成して他の記録領域に記録することを特徴とする撮像装置。
【請求項２】
前記領域指定手段は、一旦指定された領域に隣接する領域を、次に指定される候補とすることを特徴とする請求項１に記載の撮像装置。
【請求項３】
前記領域指定手段は、指定される領域の大きさを拡大又は縮小させることが可能であることを特徴とする請求項１又は２に記載の撮像装置。
【請求項４】
前記領域指定手段により指定された領域に対応する画像データを二値化する画像加工手段を更に有することを特徴とする請求項１乃至３の何れか１項に記載の撮像装置。
【請求項５】
撮像した被写体の画像データを出力する撮像手段を有する撮像装置の制御方法であって、
前記撮像手段より出力される画像データを所定の記録領域に記録する記録制御ステップと、
前記所定の記録領域に記録される画像データのうちの任意の領域を指定する領域指定ステップとを含み、
前記記録制御ステップでは、前記領域指定ステップによって前記所定の記録領域に記録される画像データから複数の領域が指定された場合、前記所定の記録領域に記録される画像データのうちの前記複数の領域夫々に対応する画像データを合成して他の記録領域に記録することを特徴とする撮像装置の制御方法。
【請求項６】
請求項５に記載の撮像装置の制御方法をコンピュータに実行させるためのプログラム。
【請求項７】
請求項６に記載のプログラムを記録したコンピュータ読み取り可能な記録媒体。
【発明の詳細な説明】
【技術分野】
【０００１】
本発明は、撮影した画像データからタイトル等に適した画像を作成するための撮像装置及びその制御方法に関するものである。
【背景技術】
【０００２】
近年、デジタルカメラが普及してきて、手軽に被写体を撮影することができるようになった。そして、撮影した画像は、画像処理回路などによって圧縮され着脱可能な不揮発のメモリカードに保存することが一般的である。さらに、パソコン等では、このようにして撮影された画像を画像処理して、印刷したり、インターネットに公開したりすることも身近になってきた。
【０００３】
また、ビデオの編集なども身近になりつつある。そして、デジタルカメラの機能を内蔵したビデオカメラも一般的になってきた。
【０００４】
ところで、自ら撮影して保存した画像やビデオにはタイトルをつけて管理することが望ましい。従来、ビデオのタイトルはテキスト情報やイラスト等であって、編集によってビデオの冒頭等に付加することによってタイトルの付加が行われていた。
【０００５】
また自動でタイトル画像を生成する先行技術も存在する。撮影した複数の画像群を一覧で確認するためのタイトル画像を、サムネイルとテキスト情報を用いて、撮像装置と接続されたパーソナルコンピュータで作成する例が特許文献１に開示されている。
【０００６】
【特許文献１】特開２００４−２４１９６４号公報
【発明の開示】
【発明が解決しようとする課題】
【０００７】
前記のような背景から、タイトルはテキストやイラストのみであるより、画像を用いて作成したほうが見た目にも判りやすいので、タイトル画像を作成することを想定する。この場合、従来例を応用しただけでは、パソコンが必要であったり、お仕着せのサムネイルを利用するものであったりするので、ユーザ好みのタイトル画像が簡易に作成できるとはいえない。
【０００８】
そこで、デジタルカメラでタイトル用に撮影した画像を、画像やビデオのタイトルに利用することが考えられるが、通常の撮影では、タイトルに適した画像を撮影しようとしても、レイアウトが自由にならず困難であった。
【０００９】
従って、本発明の目的は、デジタルカメラ等で撮影した画像データから例えばタイトル等に適した画像を自由に作成可能とすることにある。
【課題を解決するための手段】
【００１０】
本発明の撮影装置は、撮像した被写体の画像データを出力する撮像手段と、前記撮像手段より出力される画像データを所定の記録領域に記録する記録制御手段と、前記所定の記録領域に記録される画像データのうちの任意の領域を指定可能な領域指定手段とを有し、前記領域指定手段は、前記所定の記録領域に記録される画像データから任意の複数の領域を指定することが可能であり、前記記録制御手段は、前記領域指定手段によって複数の領域が指定された場合、前記所定の記録領域に記録される画像データのうちの前記複数の領域夫々に対応する画像データを合成して他の記録領域に記録することを特徴とする。
本発明の撮像装置の制御方法は、撮像した被写体の画像データを出力する撮像手段を有する撮像装置の制御方法であって、前記撮像手段より出力される画像データを所定の記録領域に記録する記録制御ステップと、前記所定の記録領域に記録される画像データのうちの任意の領域を指定する領域指定ステップとを含み、前記記録制御ステップでは、前記領域指定ステップによって前記所定の記録領域に記録される画像データから複数の領域が指定された場合、前記所定の記録領域に記録される画像データのうちの前記複数の領域夫々に対応する画像データを合成して他の記録領域に記録することを特徴とする。
本発明のプログラムは、前記の撮像装置の制御方法をコンピュータに実行させることを特徴とする。
本発明のコンピュータ読み取り可能な記録媒体は、前記のプログラムを記録したことを特徴とする。
【発明の効果】
【００１１】
本発明によれば、撮像された画像データのうちから任意の領域を指定し、指定された領域に対応する画像データを記録するように構成したので、デジタルカメラ等で撮影した画像データから例えばタイトル等に適した画像を自由に作成することが可能となる。
【発明を実施するための最良の形態】
【００１２】
以下、本発明を適用した好適な実施形態を、添付図面を参照しながら詳細に説明する。
【００１３】
図１は、本発明の実施形態に係る撮像装置の構成を示す図である。図１において、１０１はカメラユニット、１０２は表示コントローラ、１０３Ａは静止画用メモリ、１０３Ｂは情報表示用メモリ、１０４は液晶パネル、１０５は圧縮伸張処理回路、１０６はマイクロコンピュータ、１０７は操作パネル、１０８は通信バス、１５１はメモリカードインタフェース、１５２はメモリカードスロット、１５３はメモリカードである。
【００１４】
カメラユニット１０１は、不図示の光学系、ＣＣＤ等の光電変換素子、映像信号処理回路から構成されている。
【００１５】
表示コントローラ１０２は、映像信号および情報表示信号の書き込みと読み出しを制御する回路から構成されている。
【００１６】
静止画用メモリ１０３Ａ及び情報表示用メモリ１０３Ｂは、それぞれ半導体メモリであって、静止画用メモリ１０３Ａは静止画の映像信号を画像データとして保持し、また、情報表示用メモリ１０３Ｂは情報表示用の画像データを保持する。静止画用メモリ１０３Ａ及び情報表示用メモリ１０３Ｂは表示コントローラ１０２により書き込みと読み出しが制御される。
【００１７】
液晶パネル１０４は、表示コントローラ１０２により静止画用メモリ１０３Ａ及び情報表示用メモリ１０３Ｂのそれぞれから読み出され合成された画像データを表示する。
【００１８】
圧縮伸張処理回路１０５は、撮影時には、映像信号の画像データを規格に基づいて圧縮する。また、再生時には、圧縮されたデータを規格に基づいて伸張して画像データを復元する。
【００１９】
マイクロコンピュータ１０６は、後述の操作パネル１０７の操作に基づいて、前述のカメラユニット１０１、表示コントローラ１０２、圧縮伸張処理回路１０５、及び後述のメモリカードインタフェース１５１のそれぞれを、通信バス１０８を経由して制御する。また、マイクロコンピュータ１０６は、撮影に関する様々な情報や画像の取り込み範囲を示すカーソルなどをビットイメージとして情報表示用メモリ１０３Ｂに書き込むように表示コントローラ１０２を制御する。
【００２０】
メモリカードインタフェース１５１は、メモリカードスロット１５２に装着された着脱可能なメモリカード１５３に格納されているファイルを読み出し又は書き込みを行う。
【００２１】
図２は、本発明の実施形態に係る撮影装置の外観及び操作部を説明するための図である。図２において、２０１は撮影ボタン、２０２は上ボタン、２０３は左ボタン、２０４は右ボタン、２０５は下ボタン、２０６は決定ボタン、２０７は取り消しボタン、２０８はズームレバー、２０９はメモリカードスロットである。
【００２２】
まず、図１及び図２を用いて通常の撮影の動作について説明する。マイクロコンピュータ１０６は、カメラユニット１０１に対して、撮影動作を行うように制御している。同時に、操作パネル１０７にあるズームレバー２０８の操作に基づいて、望遠側または広角側に光学系を動作させるように制御している。
【００２３】
そして、カメラユニット１０１は、被写体に向けられており、その被写体の画像を映像信号に変換して出力している。そして、マイクロコンピュータ１０６は、表示コントローラ１０２に対してカメラユニット１０１が出力している映像信号を静止画用メモリ１０３Ａに画像データとして書き込む動作を開始するように制御している。さらに、マイクロコンピュータ１０６は、表示コントローラ１０２に対し、静止画用メモリ１０３Ａに格納されている画像データを読み出して映像信号として出力するように制御している。このとき、液晶パネル１０４は、表示コントローラ１０２が出力している映像信号を表示している。これら動作により、被写体の画像が液晶パネル１０４に表示されている。
【００２４】
マイクロコンピュータ１０６は、この状態から操作パネル１０７にある撮影ボタン２０１が操作されたことを検出すると、表示コントローラ１０２に対して、カメラユニット１０１が出力している映像信号を静止画用メモリ１０３Ａに画像データとして書き込む動作を停止するように制御する。そして、マイクロコンピュータ１０６は、表示コントローラ１０２に対し、静止画用メモリ１０３Ａに格納されている最後に書き込まれた画像データを読み出して通信バス１０８に出力するように制御する。また、マイクロコンピュータ１０６は、圧縮伸張処理回路１０５に対し、表示コントローラ１０２によって通信バス１０８に読み出された画像データを規格に基づいて圧縮し、通信バス１０８に出力するように制御する。そして、メモリカードインタフェース１５１に対しては、圧縮伸張処理回路１０５から通信バス１０８に出力された圧縮後の画像データを、メモリカードスロット１５２に装着された着脱可能なメモリカード１５３にファイルとして格納するように制御する。
【００２５】
そして、メモリカード１５３への格納が完了したならば、マイクロコンピュータ１０６は、再び表示コントローラ１０２に対してカメラユニット１０１が出力している映像信号を静止画用メモリ１０３Ａに画像データとして書き込む動作を再開するように制御する。これら一連の動作により、被写体の画像が液晶パネル１０４に表示され、撮影ボタン２０１を操作すると、その瞬間の画像が圧縮されメモリカード１５３に格納される。
【００２６】
次に、図１及び図２を用いて再生の動作について説明する。マイクロコンピュータ１０６は、カメラユニット１０１に対して撮影動作を行わないように制御している。また、マイクロコンピュータ１０６は、メモリカードインタフェース１５１に対して、メモリカードスロット１５２に装着された着脱可能なメモリカード１５３に格納されている最初の圧縮された画像データを読み出し通信バス１０８に出力するように制御する。また、マイクロコンピュータ１０６は、圧縮伸張処理回路１０５に対して、通信バス１０８に出力された圧縮された画像データを規格に基づいて伸張し、復元された画像データを通信バス１０８に出力するように制御する。さらに、マイクロコンピュータ１０６は表示コントローラ１０２に対して、通信バス１０８に出力されている復元された画像データを静止画用メモリ１０３Ａに画像データとして書き込むように制御する。そして、マイクロコンピュータ１０６は、表示コントローラ１０２に対して静止画用メモリ１０３Ａに格納されている画像データ読み出して映像信号として出力するように制御する。
【００２７】
液晶パネル１０４は、表示コントローラ１０２が出力している映像信号を表示している。これら一連の動作により、メモリカード１５３に格納されている最初の圧縮された画像データが読み出され、液晶パネル１０４に表示されている。
【００２８】
ここで、マイクロコンピュータ１０６は、操作パネル１０７にある左ボタン２０３が操作されたことを検出すると、メモリカードインタフェース１５１に対して、メモリカードスロット１５２に装着された着脱可能なメモリカード１５３に格納されている画像データのうち最後に読み出した画像データよりも一つ前（過去）に撮影した画像データがある場合には、その圧縮された画像データを読み出し通信バス１０８に出力するように制御する。また、操作パネル１０７にある右ボタン２０４が操作されたことを検出すると、メモリカードインタフェース１５１に対して、メモリカードスロット１５２に装着された着脱可能なメモリカード１５３に格納されている画像データのうち最後に読み出した画像データよりも一つ先（未来）に撮影した画像データがある場合には、その圧縮された画像データを読み出し通信バス１０８に出力するように制御する。いずれにしても、マイクロコンピュータ１０６は圧縮伸張処理回路１０５に対して、通信バス１０８に出力された圧縮された画像データを規格に基づいて伸張して復元された画像データを通信バス１０８に出力するように制御する。
【００２９】
さらに、マイクロコンピュータ１０６は表示コントローラ１０２に対して、通信バス１０８に出力されている復元された画像データを静止画用メモリ１０３Ａに画像データとして書き込むように制御する。そして、マイクロコンピュータ１０６は、表示コントローラ１０２に対して、静止画用メモリ１０３Ａに格納されている画像データを読み出して映像信号として出力するように制御する。
【００３０】
従って、液晶パネル１０４は、表示コントローラ１０２が出力している映像信号を表示しているので、操作パネル１０７にある左ボタン２０３を操作した場合には、現在表示している画像に対して一つ前（過去）に撮影した画像を、右ボタン２０４を操作した場合には、現在表示している画像に対して一つ先（未来）に撮影した画像が表示される。
【００３１】
図３及び図４Ａ〜Ｈは、本発明の実施形態によるタイトル画像を作成する手順を説明するための図である。図３において、３０１はタイトル画像を作成するにあたって素材とする看板である。図４Ａは、タイトル画像作成モードに入り作業を開始した様子を示す図である。図４Ａにおいて、Ｃ１はカーソルである。カーソルＣ１は、これから静止画用メモリ１０３Ａに記録される撮影画像データから画像データを部分的に取り込む範囲を表示している。マイクロコンピュータ１０６は、タイトル作成モードに入ると、情報表示用メモリ１０３ＢにカーソルＣ１を表示するように表示コントローラ１０２を制御する。
【００３２】
図４Ｂは、図３に示す看板内の"Ｗｅ"を取り込むためにカメラを移動させ、あるいは、ズーム操作により画角を変えている様子を示した図であり、うまくカーソルＣ１の示す枠の中に目的の"Ｗｅ"が収まったところである。
【００３３】
図４Ｃは、"Ｗｅ"を取り込んだ直後の様子を示す図である。図４Ｃにおいて、Ｒ１は今回取り込んだ画像が表示されている領域、Ｃ２は新しく表示されているカーソルである。図４Ｂの状態において、撮影ボタン２０１を操作したことをマイクロコンピュータ１０６が検出すると、静止画用メモリ１０３Ａに格納されているカメラユニット１０１により撮影された画像のカーソルＣ１の矩形に対応する部分を、情報表示用メモリ１０３ＢのカーソルＣ１の矩形に対応する領域Ｒ１にコピーするように表示コントローラ１０２を制御する。この動作によりカメラユニット１０１により撮影されている画像のカーソルＣ１で表示されている位置に対応する部分を情報表示用メモリ１０３Ｂに取り込む。また、カーソルＣ１は消去して領域Ｒ１の部分に隣接する右側に新しいカーソルＣ２を表示するように表示コントローラ１０２を制御する。
【００３４】
図４Ｄ〜図４Ｆは、続けてハートマークおよび"Ｋｙｏｔｏ"を取り込む作業をしている様子を示す図である。図４Ｄにおいて、Ｒ１はすでに取り込んだ領域、Ｃ２はこれから取り込む領域を示すカーソルである。取り込む準備が完了して撮影ボタン２０１を押すと、マイクロコンピュータ６０１は、"Ｗｅ"を取り込んだ場合と同様の処理が行われて、目的のマークが情報表示用メモリ１０３ＢのカーソルＣ２に対応する領域（図４ＥのＲ２）に取り込まれる。
【００３５】
図４Ｅにおいて、Ｒ１及びＲ２はすでに取り込んだ領域、Ｃ３はこれから取り込む領域を示すカーソルである。この場合は、取り込みたい文字列がカーソルＣ３からはみ出しているので、右ボタン２０４の操作により領域を拡大するように指示する。なお、左ボタン２０３の操作により領域を縮小することもできる。マイクロコンピュータ６０１は、右ボタン２０４の操作を検出すると現在のカーソルＣ３の幅を拡大させて取り込める範囲を横に広く表示するように、あるいは、左ボタン２０３の操作を検出すると現在のカーソルＣ３の幅を縮小させて取り込める範囲が横に狭く表示するように表示コントローラ１０２を制御する。
【００３６】
図４Ｆにおいて、Ｒ１及びＲ２はすでに取り込んだ領域、Ｃ３はこれから取り込む領域を示すカーソルであり、左右の幅が右ボタン２０４及び左ボタン２０３の操作により調整され合致している。
【００３７】
これで目的の取り込みたい文字列がカーソルＣ３の領域に収まり、取り込む準備が完了したので撮影ボタン２０１を操作すると、マイクロコンピュータ６０１は、"Ｗｅ"を取り込んだ場合と同様の処理が行われて、目的の文字列が情報表示用メモリ１０３ＢのカーソルＣ３に対応する領域（図４ＧのＲ３）に取り込まれる。
【００３８】
また、新しいカーソルの位置は、下ボタン２０５の操作により次の行（下の行の先頭）に移動することができる。さらには、取り消しボタン２０７の操作により直前に取り込んだ動作を取り消してその前の状態に戻ることができる。図４Ｇは、さらに続けてマークや文字列を取り込んでいる様子を説明する図である。取り込むためのユーザの操作及び装置の動作は、これまで説明してきたものと同様である。
【００３９】
図４Ｈは、目的のマークや文字列を一通り取り込み作業が完了した様子を説明するための図である。マイクロコンピュータ１０６は、この状態において決定ボタン２０６の操作を検出すると、一連の画像の取り込み動作が完了したと認識して、表示コントローラ１０２に対して情報表示用メモリ１０３Ｂに格納されている画像データを読み出して通信バス１０８に出力するように制御する。また、圧縮伸張処理回路１０５に対しては、表示コントローラ１０２によって通信バス１０８に読み出された画像データを規格に基づいて圧縮し、通信バス１０８に出力するように制御する。そして、メモリカードインタフェース１５１に対して圧縮伸張処理回路１０５から通信バス１０８に出力された圧縮された画像データを、メモリカードスロット１５２に装着された着脱可能なメモリカード１５３にファイルとして格納するように制御する。そして、格納が完了したならば、再び、情報表示用メモリ１０３Ｂに図４Ａに示すようなカーソルＣ１を表示するように表示コントローラ１０２を制御する。
【００４０】
これら一連の動作により、カメラユニット１０１により撮影された画像から、カーソルによって示される領域の文字列やマークを複数回に分けて取り込み、また、それを合成して組み合わせることにより新しいタイトル画像を生成する。そして、完成された画像が情報表示用メモリ１０３Ｂから読み出されて、圧縮されメモリカード１５３に格納される。
【００４１】
図４Ｉは、タイトル画像の加工や調整を説明するための図である。以上説明したように、組み合わせてできた画像をそのまま圧縮してメモリカード１５３に格納しても良いが、マイクロコンピュータ１０６が表示コントローラ１０２を制御することによって、図４Ｉのように取り込まれた画像の行毎に画面の中央に移動するセンタリング（中央寄せ）を行ってから圧縮・格納することもできる。
【００４２】
また、組み合わせてできた画像を二値化してから圧縮・格納することもできる。このとき、二値化された画像は白黒あるいは任意の２色により色づけされたものとなる。言うまでもなく、様々な静止画の画像処理を施してから圧縮・格納することも可能である。
【００４３】
このようにして生成されたタイトル画像は、通常撮影された画像と同様に扱うことができる。さらに、新たな画像の撮影時に、生成したタイトル画像を用いることにより、撮影画像へのクロマキー合成、オーバーレイ合成などが可能である。
【００４４】
本実施形態による撮像装置においては、撮影画像の一部の領域をカーソルによって指示して、そのカーソルによって指定された領域に対する撮影された画像を、情報表示用メモリ１０３Ｂ内の対応する場所に格納して、次に、上記のカーソルによって指示された領域の近傍に、カーソルを新たに移動させ、さらにそのカーソルによって指定された領域に対する撮影された画像を情報表示用メモリ１０３Ｂの対応する場所に格納することで、画像を部分毎に取り込み合成するので、その過程で取り込む画像を自由にレイアウトすることが可能である。
【００４５】
また、こうして合成しつつ撮影された画像を本体の不揮発性メモリ又は取り外しが可能な不揮発性メモリ（メモリカード１５３）に格納することができるので、合成された画像を他の用途に流用することができる。さらに、画像を取り込んだときに画素の明るさと基準値を比較することで二値化することができるので、テロップのような合成された画像を作成することができる。そして、既に取り込んだ画像を液晶パネル１０４にオーバーレイ表示することができるので、撮影している現場で合成された画像の出来栄えを確認することができる。
【００４６】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００４７】
この場合、記憶媒体から読み出されたプログラムコード自体が前述した実施形態の機能を実現することになり、プログラムコード自体及びそのプログラムコードを記憶した記憶媒体は本発明を構成することになる。
【００４８】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００４９】
また、コンピュータが読み出したプログラムコードを実行することにより、前述した実施形態の機能が実現されるだけでなく、そのプログラムコードの指示に基づき、コンピュータ上で稼動しているＯＳ(基本システム或いはオペレーティングシステム)などが実際の処理の一部又は全部を行い、その処理によって前述した実施形態の機能が実現される場合も含まれることは言うまでもない。
【００５０】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【図面の簡単な説明】
【００５１】
【図１】本発明の実施形態に係る撮像装置の構成を示す図である。
【図２】本発明の実施形態に係る撮像装置の外観及び操作部を説明するための図である。
【図３】本発明の実施形態によるタイトル画像を作成する手順を説明するための図である。
【図４Ａ】本発明の実施形態によるタイトル画像を作成する手順を説明するための図である。
【図４Ｂ】本発明の実施形態によるタイトル画像を作成する手順を説明するための図である。
【図４Ｃ】本発明の実施形態によるタイトル画像を作成する手順を説明するための図である。
【図４Ｄ】本発明の実施形態によるタイトル画像を作成する手順を説明するための図である。
【図４Ｅ】本発明の実施形態によるタイトル画像を作成する手順を説明するための図である。
【図４Ｆ】本発明の実施形態によるタイトル画像を作成する手順を説明するための図である。
【図４Ｇ】本発明の実施形態によるタイトル画像を作成する手順を説明するための図である。
【図４Ｈ】本発明の実施形態によるタイトル画像を作成する手順を説明するための図である。
【図４Ｉ】本発明の実施形態によるタイトル画像を作成する手順を説明するための図である。
【符号の説明】
【００５２】
１０１：カメラユニット
１０２：表示コントローラ
１０３Ａ：静止画用メモリ
１０３Ｂ：情報表示用メモリ
１０４：液晶パネル
１０５：圧縮伸張処理回路
１０６：マイクロコンピュータ
１０７：操作パネル
１０８：通信バス
１５１：メモリカードインタフェース
１５２：メモリカードスロット
１５３：メモリカード
２０１：撮影ボタン
２０２：上ボタン
２０３：左ボタン
２０４：右ボタン
２０５：下ボタン
２０６：決定ボタン
２０７：取り消しボタン
２０８：ズームレバー
２０９：カードスロット
３０１：看板
Ｃ１〜Ｃ３：カーソル
Ｒ１〜Ｒ３：画像取り込み領域
【図１】
2007013341.tif 000003
【図２】
2007013341.tif 000004
【図３】
2007013341.tif 000005
【図４Ａ】
2007013341.tif 000006
【図４Ｂ】
2007013341.tif 000007
【図４Ｃ】
2007013341.tif 000008
【図４Ｄ】
2007013341.tif 000009
【図４Ｅ】
2007013341.tif 000010
【図４Ｆ】
2007013341.tif 000011
【図４Ｇ】
2007013341.tif 000012
【図４Ｈ】
2007013341.tif 000013
【図４Ｉ】
2007013341.tif 000014